(57)【要約】【課題】ゲーテッドコミュニティ内の地点は案内対象となり得ないので、ゲーテッドコミュニティに係る案内はなされないこと。【解決手段】現在地１がゲーテッドコミュニティ２（一般的には、出入管理ゲート３が設けられた位置）に到達すれば、停止する旨の案内４が出力される。他方、現在地１がゲーテッドコミュニティ２に到達しなければ、案内４は、出力されない。また、現在地１がゲーテッドコミュニティ２に入れば、進入した旨の案内５が出力される。他方、現在地１がゲーテッドコミュニティ２を入らなければ、案内５は、出力されない。【選択図】図１
2008241516.tif 000002
【特許請求の範囲】
【請求項１】
現在地が地図に定義されたゲーテッドコミュニティに到達すれば、停止する旨を案内するための停止案内処理を実行し、他方、現在地がゲーテッドコミュニティに到達しなければ、前記停止案内処理を実行しない処理部を備える情報処理装置。
【請求項２】
前記処理部は、現在地がゲーテッドコミュニティに到達すれば、表示装置に対して停止案内画像を表示させることを特徴とする請求項１に記載の情報処理装置。
【請求項３】
前記処理部は、現在地がゲーテッドコミュニティに入れば、進入した旨を案内するための進入案内処理を実行し、他方、現在地がゲーテッドコミュニティに入らなければ、前記進入案内処理を実行しないことを特徴とする請求項１に記載の情報処理装置。
【請求項４】
前記処理部は、現在地がゲーテッドコミュニティに入れば、表示装置に対して進入案内画像を表示させることを特徴とする請求項３に記載の情報処理装置。
【請求項５】
前記処理部は、ゲーテッドコミュニティへの進入が許可されれば、進入許可を案内するための許可案内処理を実行し、他方、ゲーテッドコミュニティへの進入が許可されなければ、前記許可案内処理を実行しないことを特徴とする請求項１に記載の情報処理装置。
【請求項６】
前記処理部は、ゲーテッドコミュニティへの進入が許可されれば、表示装置に対して進入許可案内画像を表示させることを特徴とする請求項５に記載の情報処理装置。
【請求項７】
現在地が地図に定義されたゲーテッドコミュニティに到達すれば、停止する旨を案内し、現在地がゲーテッドコミュニティに到達しなければ、停止する旨を案内しない案内制御機能をコンピュータに実行させるためのプログラム。
【請求項８】
現在地が地図に定義されたゲーテッドコミュニティに入れば、進入した旨を案内し、現在地がゲーテッドコミュニティに入らなければ、進入した旨を案内しない案内制御機能をコンピュータに実行させるためのプログラム。
【請求項９】
ゲーテッドコミュニティへの進入が許可されれば、進入許可を案内し、他方、前記進入が許可されなければ、進入許可を案内しない案内制御機能をコンピュータに実行させるためのプログラム。
【発明の詳細な説明】
【技術分野】
【０００１】
本発明は、情報処理装置に関し、より詳しくは、ナビゲーション装置や携帯電話等に関する。
【背景技術】
【０００２】
背景技術として、設定目的地が歩行者専用や私有地などの属性を有する進入禁止区域であれば、目的地到着判定の対象となるエリアを拡大するナビゲーション装置が知られている（例えば、特許文献１を参照）。
【特許文献１】特開２００５−２４１５６１号公報（段落０００７−０００９）
【発明の開示】
【発明が解決しようとする課題】
【０００３】
近年、防犯体制を重視した街（いわゆる「ゲーテッドコミュニティ」）が普及してきている。この街の住人は、街への進入権限を持っている。また、住人の知人なども、この街への進入権限を得られるであろう。
【０００４】
ところが、背景技術によれば、ゲーテッドコミュニティ内の地点は案内対象となり得ないので、ゲーテッドコミュニティに係る案内はなされないという課題があった。
【課題を解決するための手段】
【０００５】
本発明に係る情報処理装置は、現在地が地図に定義されたゲーテッドコミュニティに到達すれば、停止する旨を案内するための停止案内処理を実行し、他方、現在地がゲーテッドコミュニティに到達しなければ、前記停止案内処理を実行しない処理部を備える。本発明における字句の解釈は、次のとおりである。
【０００６】
「現在地」は、各種センサ（ＧＰＳ、車速センサ、ジャイロ等）によって得られる。
【０００７】
「ゲーテッドコミュニティ」とは、防犯体制を重視した街である。例えば、「ゲーテッドコミュニティ」への出入は、１又は２以上の出入管理ゲートを介してのみ可能である。
【０００８】
「地図」は、ポリゴンデータ及びネットワークデータの少なくとも一方を含む。「ポリゴンデータ」は、描画処理又はポリゴン判定処理に用いられ、位置（例えば、緯度経度）及び外形を定義する。「ネットワークデータ」は、探索処理又は案内処理に用いられ、道路の属性（ゲーテッドコミュニティか否か）等を定義する。「地図」は、配信され又は２次記憶装置（例えば、ＣＤ−ＲＯＭ、ＤＶＤ−ＲＯＭやハードディスク等）に予め記憶される。「地図」は、処理時に、主記憶装置（例えば、ＲＡＭ）に記憶されている。
【０００９】
「停止案内処理」として、「表示装置に対して停止案内画像を表示させること」がある。もちろん、「停止案内」は、画像ではなく、「止ってください」等の音声で行われてもよい。
【００１０】
「処理部」とは、ハードウエア又はハードウエア及びソフトウエア（プログラム）の協働によって特定の処理を実現するための部位である。
【００１１】
「処理部」は、好ましくは、現在地がゲーテッドコミュニティに入れば、進入した旨を案内するための進入案内処理を実行し、他方、現在地がゲーテッドコミュニティに入らなければ、前記進入案内処理を実行しない。
【００１２】
「進入案内処理」として、「表示装置に対して進入案内画像を表示させること」がある。もちろん、「進入案内」は、画像ではなく、「進入しました」等の音声で行われてもよい。
【００１３】
「処理部」は、好ましくは、ゲーテッドコミュニティへの進入が許可されれば、進入許可を案内するための許可案内処理を実行し、他方、ゲーテッドコミュニティへの進入が許可されなければ、前記許可案内処理を実行しない。
【００１４】
「許可」されたか否かは、これを示す信号によって判断される。この信号は、例えば、認証カード（例えば、住人確認ＩＣカード）と出入管理ゲートに設けられた認証装置との通結果によって得られる「出入管理ゲート」とは、ゲーテッドコミュニティ内への進入又はゲーテッドコミュニティ内から退出を管理するために設けられた施設である。例えば、ゲーテッドコミュニティの住人か否かは、この出入管理ゲートで行われる。
【００１５】
「許可案内処理」としては、「表示装置に対して進入許可案内画像を表示させること」がある。もちろん、「許可案内」は、画像ではなく、「ＯＫです」等の音声で行われてもよい。
【発明の効果】
【００１６】
本発明は、現在地がゲーテッドコミュニティに到達すれば、停止する旨を案内するので、出入管理ゲートの存在を認識しやすくなるという効果を有する。
【発明を実施するための最良の形態】
【００１７】
本発明に係る情報処理装置を実施するための最良の形態は、図１乃至図７で示される。
【００１８】
＜出力例＞本実施の形態に係る出力例は、図１乃至図３で示される。現在地１がゲーテッドコミュニティ２（一般的には、出入管理ゲート３が設けられた位置）に到達すれば、停止する旨の案内（以下、停止案内という）４が出力される（図１）。例えば、「ゲートがあります。停止してください。」との文章が出力される。他方、現在地１がゲーテッドコミュニティ２に到達しなければ、案内４は、出力されない（図２）。また、本実施の形態では、現在地１がゲーテッドコミュニティ２に入れば、進入した旨の案内（以下、進入案内という）５が出力される（図３）。他方、現在地１がゲーテッドコミュニティ２を入らなければ、案内５は、出力されない（図１及び図２）。停止案内４及び進入案内５は、音声又は画像で出力される。これらの出力例は、次のハードウエア構成及びソフトウエア構成によって実現される。
【００１９】
＜ハードウエア構成について＞本実施の形態に係る情報処理装置のハードウエア構成は、図４で示される。情報処理装置１０は、処理部１１を少なくとも備える。処理部１１には、２次記憶装置１２、入力装置１３、航法装置１４、表示装置１５及びスピーカ１６が接続されている。
【００２０】
処理部１１は、Ｉ／Ｏ、ＲＯＭ、ＣＰＵやＲＡＭなどのコンピュータの基本要素を備える。Ｉ／Ｏには、入力装置１３、航法装置１４、表示装置１５及びスピーカ１６が接続される。ＲＯＭには、ＢＩＯＳ等の基本プログラムが記憶される。ＲＡＭには、各種プログラム、ＣＰＵの演算結果や入力値等が一時的に記憶される。
【００２１】
２次記憶装置１２は、ハードディスクである。２次記憶装置１２には、案内制御プログラム等の各種プログラム及び地図が記憶されている。
【００２２】
入力装置１３は、目的地や出発地等の設定地１や自宅等を設定するためのものであり、リモートコントローラやタッチパネル等である。
【００２３】
航法装置１４は、現在地を得るためのものであり、ＧＰＳ受信機、速度センサや方位センサ等である。
【００２４】
表示装置１５及びスピーカ１６は、停止案内４及び通過案内５を出力するためのものである。
【００２５】
＜データ構造について＞本実施の形態に係る地図のデータ構造は、図５で示される。地図のデータ構造は、背景２１、道路２２、名称２３、案内２４やネットワーク２５等に区分されている。
【００２６】
背景２１、道路２２及び名称２３は、ポリゴンデータである。背景２１には、ゲーテッドコミュニティ形状２１ａ、施設形状２１ｂ及び海形状２２ｃが含まれる。道路２２には、道路形状２２ａが含まれる。名称２３には、ゲーテッドマーク２３ａ及び交差点２３ｂが含まれる。
【００２７】
案内２４は、画像データ、音声データ及び交差点属性データ（以下、交差点属性という）である。例えば、交差点属性は、交差点が出入管理ゲートであるか否かを示す。案内２４には、ゲーテッド案内２４ａ及び交差点案内２４ｂが含まれる。ゲーテッド案内２４ａには、停止案内４に対応するデータ及び進入案内５に対応するデータが含まれる。
【００２８】
ネットワーク２５は、ネットワークデータである。ネットワーク２５は、探索コストに反映される。ネットワーク２５には、ゲーテッドコミュニティか否かを示す属性２５ａ、道路種別２５ｂ及び車線数２５ｃが含まれる。
【００２９】
＜案内制御処理について＞本実施の形態に係る案内制御処理（以下、本処理という）の前提として、交差点属性、ゲーテッドコミュニティ形状２１ａ及びゲーテッド案内２４ａは、装置の起動時に、２次記憶装置１２からＲＡＭに展開される。また、現在地に係る表示位置及びゲーテッドコミュニティ形状２１ａに係る表示位置は、適宜、ＲＡＭに記憶される。
【００３０】
本処理は、図７及び図８で示される。本処理は、ＣＰＵがＲＡＭに展開された案内制御プログラムを実行することによって実現される。また、本処理は、停止案内を制御するための停止案内制御処理及び進入案内を制御するための進入案内制御処理からなる。
【００３１】
停止案内制御処理では、出入管理ゲートを示す属性値をもつ交差点と現在地との距離Ｌが距離閾値Ｌ０（例えば、Ｌ＝１５０ｍ）以下であるか否かが判定される（Ｓ１）。この処理では、距離Ｌは公知のＡＰＩ（アプリケーションインターフェース）で求められる。また、ＲＡＭに展開された交差点属性が参照される。Ｓ１で距離Ｌが距離閾値Ｌ０以下であれば（Ｓ１の「Ｙｅｓ」）、停止案内を出力する旨の制御命令がなされる（Ｓ２）。この制御命令がなされると、音声合成アプリケーション及び描画アプリケーションは、ＲＡＭに記憶されるゲーテッド案内２４ａから停止案内４を生成する。つまり、表示装置１５及びスピーカ１６は、停止案内４を出力する（図１参照）。他方、Ｓ１で距離Ｌが距離閾値Ｌ０以下でなければ（Ｓ１の「Ｎｏ」）、停止案内を出力する旨の制御命令はなされない。
【００３２】
進入案内制御処理では、現在地とゲーテッドコミュニティ形状２１ａとが比較される（Ｓ１１）。具体的には、ゲーテッドコミュニティ形状２１ａはゲーテッドコミュニティの位置及び外形を定義するポリゴンデータであるので、この外形に係る表示位置が境界線としてＲＡＭに記憶される。そして、この境界線とＲＡＭに記憶される現在地に係る表示位置とが比較され、内側にあるとの判定がなされると（Ｓ１１の「⊂」）、進入案内を出力する旨の制御命令がなされる（Ｓ１２）。この制御命令がなされると、音声合成アプリケーション及び描画アプリケーションは、ＲＡＭに記憶されるゲーテッド案内２４ａから進入案内５を生成する。つまり、表示装置１５及びスピーカ１６は、進入案内５を出力する（図３参照）。他方、Ｓ１１で現在地に係る表示位置が境界線の外側にあるとの判定がなされると（Ｓ１１の「ｅｌｓｅ」）、前述の制御命令は、なされない（図２参照）。
【００３３】
＜本実施の形態における効果＞本実施の形態によれば、現在地１がゲーテッドコミュニティ２（一般的には、出入管理ゲート３が設けられた位置）に到達すれば、停止案内４が出力される（図１）。したがって、住人は、出入管理ゲートの存在を認識しやすくなる。また、出入管理ゲートと車両との衝突を回避することができる。
【００３４】
本実施の形態によれば、現在地１がゲーテッドコミュニティ２に入れば、進入案内５が出力される（図３）。したがって、住人は、ゲーテッドコミュニティ２に進入したことを認識できる。
【００３５】
＜変形例１＞本実施の形態では、停止案内が文章で表現されている。もっとも、停止案内は、停止案内画像で表現されてもよい。例えば、出入管理ゲートが閉じた状態を示す画像が考えられる（図８参照）。停止案内画像は、地図のデータ構造において、ゲーテッドマーク２３ａに相当する（図５参照）。
【００３６】
＜変形例２＞本実施の形態では、進入案内が文章で表現されている。もっとも、進入案内は、進入案内画像で表現されてもよい。例えば、出入管理ゲートが開いた状態を示す画像が考えられる（図９参照）。進入案内画像は、地図のデータ構造において、ゲーテッドマーク２３ａに相当する（図５参照）。
【００３７】
＜変形例３＞本実施の形態では、Ｓ１１で現在地に係る表示位置が境界線の内側にあるとの判定がなされると（Ｓ１１の「⊂」）、進入案内を出力する旨の制御命令がなされる（Ｓ１２）。もっとも、この判定に代えて、ゲーテッドコミュニティへの進入が許可されたか否かの判定が行われてもよい。この場合、進入案内に代えて、進入許可を案内するための許可案内が採用される。すなわち、ゲーテッドコミュニティへの進入が許可されれば、許可案内が出力され、他方、ゲーテッドコミュニティへの進入が許可されなければ、許可案内は出力されない。ゲーテッドコミュニティへの進入が許可されたか否かは、ＲＡＭに記憶される出入管理ゲートとの通信結果である。また、文章で表現される許可案内は、地図のデータ構造において、ゲーテッドに係る案内２４ａに相当する（図５参照）。さらに、許可案内は、進入許可案内画像で表現されてもよい。この場合、進入許可案内画像は、地図のデータ構造において、ゲーテッドマーク２３ａに相当する（図５参照）。また、進入許可案内画像は、進入案内画像（図９）と同じものでもよい。
【産業上の利用可能性】
【００３８】
本発明は、出入管理ゲートの存在を認識しやすくなるという効果を有し、ナビゲーション装置や携帯電話等に有用である。
【図面の簡単な説明】
【００３９】
【図１】本実施の形態に係る停止案内を示す図
【図２】本実施の形態に係る出力例を示す図
【図３】本実施の形態に係る進入案内を示す図
【図４】本実施の形態に係る情報処理装置のハードウエア構成を示す図
【図５】本実施の形態に係る地図のデータ構造を示す図
【図６】本実施の形態における停止案内制御処理の流れを示すフロー図
【図７】本実施の形態における進入案内制御処理の流れを示すフロー図
【図８】変形例１に係る出力例を示す図
【図９】変形例２に係る出力例を示す図
【符号の説明】
【００４０】
１    現在地
２    ゲーテッドコミュニティ
４    停止案内
５    進入案内
１０    情報処理装置
１１    処理部
１５    表示装置
【図１】
2008241516.tif 000003
【図２】
2008241516.tif 000004
【図３】
2008241516.tif 000005
【図４】
2008241516.tif 000006
【図５】
2008241516.tif 000007
【図６】
2008241516.tif 000008
【図７】
2008241516.tif 000009
【図８】
2008241516.tif 000010
【図９】
2008241516.tif 000011